(57)【要約】【課題】フラットベットに置いた厚みのある原稿を読み取る際に、発光部の光をユーザが眩しく感じることがないようにする。【解決手段】プラテンカバーと、プラテンカバーの開閉状態を検出するプラテンカバー状態検知部と、フラットベットに沿って所望の速度で移動し、かつ所望の光量で発光する光源部と、光源部から照射された光によって原稿を撮影する撮影部と、プラテンカバー状態検知部がプラテンカバーの開状態を検出している間に、読取指令を受け付けた場合は、光源部の光量を、プラテンカバーが閉状態で実行される読取の場合よりも低く設定して、該読取指令に対応した読取を実行する読取制御部とを備えた。【選択図】図２
2009118129.tif 000002
【特許請求の範囲】
【請求項１】
原稿が置かれたフラットベットを開閉自在に覆うプラテンカバーと、
前記プラテンカバーの開閉状態を検出するプラテンカバー状態検知部と、
前記フラットベットに沿って所望の速度で移動し、かつ所望の光量で発光する光源部と、
前記光源部から照射された光によって前記原稿を撮影する撮影部と、
前記プラテンカバー状態検知部が前記プラテンカバーの開状態を検出している間に、読取指令を受け付けた場合は、前記光源部の光量を前記プラテンカバーが閉状態で実行される読取の場合よりも低く設定して、該読取指令に対応した読取を実行する読取制御部とを備えたフラットベット型の画像読取装置。
【請求項２】
請求項１において、
前記読取制御部は、前記プラテンカバー状態検出部が前記プラテンカバーの開状態を検出している間に、前記読取指令を受け付けた場合は、更に、前記光源部の移動速度を前記プラテンカバーが閉状態で実行される読取の場合よりも遅く設定するフラットベット型の画像読取装置。
【発明の詳細な説明】
【技術分野】
【０００１】
本発明は、フラットベット型の画像読取装置の改良に関する。
【背景技術】
【０００２】
近年、フラットベット型の画像読取装置の読取速度が向上している。その理由の１つに、光源部の光量の増加がある。光量が増加すれば、その分、原稿を撮影する撮影部の露光時間が短くなる。
【０００３】
フラットベット型の画像読取装置では、プラテンカバーが閉じられる直前に光源部を点灯させて原稿サイズを検出する機能を有している。しかしながら、ユーザがその光を眩しくて不快に感じる場合がある。このような事態の発生を防止するための技術として、以下の特許文献１は、原稿サイズの検出時に光源部を点灯させる光量を、読取実行時よりも低下させる技術を開示している。
【特許文献１】特開２００２−２９０６７５公報
【発明の開示】
【発明が解決しようとする課題】
【０００４】
ところで、ユーザが光源部の光を眩しく感じる事態は、上記のような原稿サイズの検出時だけでなく、ブック原稿等、厚みのある原稿の読取実行時にも発生する。すなわち、フラットベットに厚みのある原稿を置いた場合は、プラテンカバーを閉じることができないため、読取の実行中に、フラットベットとプラテンカバーとの間から強い光が漏れ出すことになり、ユーザに眩しく感じさせる。
【０００５】
そこで、本発明は、フラットベットに置いたブック原稿等、厚みのある原稿を読み取る際に、光源部の光をユーザが眩しく感じることがないようにした画像読取装置の提供を目的とする。
【課題を解決するための手段】
【０００６】
本発明による画像読取装置は、原稿が置かれたフラットベットを開閉自在に覆うプラテンカバーと、前記プラテンカバーの開閉状態を検出するプラテンカバー状態検知部と、前記フラットベットに沿って所望の速度で移動し、かつ所望の光量で発光する光源部と、前記光源部から照射された光によって前記原稿を撮影する撮影部と、前記プラテンカバー状態検知部が前記プラテンカバーの開状態を検出している間に、読取指令を受け付けた場合は、前記光源部の光量を前記プラテンカバーが閉状態で実行される読取の場合よりも低く設定して、該読取指令に対応した読取を実行する読取制御部とを備えた。
【０００７】
そして、前記読取制御部は、前記プラテンカバー状態検出部が前記プラテンカバーの開状態を検出している間に、前記読取指令を受け付けた場合は、更に、前記光源部の移動速度を前記プラテンカバーが閉状態で実行される読取の場合よりも低く設定するようにしてもよい。
【発明の効果】
【０００８】
本発明によれば、プラテンカバー状態検知部がプラテンカバーの開状態を検出している間に、読取指令を受け付けた場合は、光源部の光量を、プラテンカバーが閉状態で実行される通常の読取の場合よりも低く設定するので、ユーザがその光を受けて眩しく感じる度合いが減少する。
【０００９】
また、プラテンカバーが開状態であれば、光源部の移動速度を、プラテンカバーが閉状態で実行される読取の場合よりも遅く設定する構成では、光源部の光量の低下によって撮影部の時間当たりの露光量が減少しても、光源部の移動速度を遅く、すなわち露光時間を長くすることで補償できる。従って、ブック原稿等、厚みのある原稿を読み取った画像データの劣化を防止できる。
【発明を実施するための最良の形態】
【００１０】
以下、本発明の実施例を図に従って説明する。
図１は、本発明の実施例である画像読取装置１の簡略化した外観斜視図である。ここに、例としてスキャナ装置、プリンタ装置、コピー装置とを兼用するオフィス用複合機を想定しているが、本発明はこれに限定されず、例えば、ファクシミリ複合機、スキャナ専用装置、コピー専用装置等にも適用可能である。
【００１１】
画像読取装置１の本体の上面には、フラットベット１１がプラテンガラスによって構成されており、更に、原稿の読み取り時にフラットベット１１を遮光するためのプラテンカバー１２がヒンジを介して開閉自在に取り付けられている。ヒンジには、プラテンカバー１２の開閉状態を検知するプラテンカバー状態検知部１４が付設されている。プラテンカバー状態検知部１４は、例えば、プラテンカバー１４が閉じる直前に導通する電気スイッチ等で構成できる。また、本体の前面には、各種操作キーと、液晶パネル等からなる表示窓とを有した操作パネル１３が配置されている。本体の向かって右側の側面には、記録紙挿入部１６が設けられている。なお、本体には、フラットベット１１に沿って所望の速度で移動し、かつ所望の光量で発光する光源部１１０、光源部１１０から照射された光によって原稿を撮影する撮影部１１１、読み取った原稿等を印刷して出力する印刷部１０７等が内蔵されている。また、特に本発明に関連しないが、プラテンカバー１２には、ＡＤＦ（オートドキュメントフィーダ）を備えてもよい。
【００１２】
図２は、画像読取装置１の概略構成を示した機能ブロック図である。
画像読取装置１は、パーソナルコンピュータ等の通信装置２とネットワーク等を通じて通信する通信部１０１と、読取を制御する読取制御部１０４と、原稿を読み取った画像データに所定の画像処理を施す読取用画像処理回路１０５と、読取開始を指令するスタート釦１３ａ等の各種操作釦と液晶パネルとで構成された操作パネル１３と、印刷すべき画像データの色空間の変換等を行う印刷用画像処理回路１０６と、印刷部１０７と、画像データに対してファイル形式の変換を行うコーデック１０８と、読み取った画像データあるいは印刷すべき画像データを蓄積する画像メモリ１０９と、ＣＰＵ（セントラルプロセッシングユニット）１０２、ＲＯＭ（リードオンリーメモリ）１０３、ＲＡＭ（ランダムアクセスメモリ）１０４等で構成された装置制御部とを備えている。
【００１３】
読取制御部１０４には、プラテンカバー状態検知部１４と、ＬＥＤ（ライトエミッティングダイオード）アレイが設けられた光源部１１０と、光源部１１０の移動を制御するモータ１１２のドライバ回路１１３が接続されている。撮影部１１１は、原稿を撮影する撮影素子としてＣＣＤ（チャージカップルドデバイス）が設けられており、読取用画像処理回路１０５に接続されている。
【００１４】
なお、画像読取装置１の走査撮影は、原稿が置かれたフラットベット１１に沿って光源部１１０を平行移動させつつ、光源部１１０から照射した光を原稿で反射させ、更に反射ミラー等で撮影部１１１に導いて、反射光が結像された原稿の部分像を逐次撮影することでなされ、その部分像は画像データとして撮影順序に従って連結される。
【００１５】
画像読取装置１の基本動作は、従来の装置のオフィス用複合機と基本的に同様である。すなわち、スキャナ装置としては、操作パネル１３の操作に応じて、フラットベット１１に置かれた原稿を読み取り、その画像データをネットワークを通じて通信装置２に伝送する。また、プリンタ装置としては、ネットワークを通じて通信装置２から印刷指令と共に画像データを受け付け、受け付けた画像データを記録紙に印刷して出力し、コピー装置としては、操作パネル１３の操作に応じて、フラットベット１１に置かれた原稿を読み取り、読み取った画像データを記録紙に印刷して出力する。
【００１６】
そして、本発明の特徴的として、読取制御部１０４は、プラテンカバー状態検知部１４がプラテンカバー１２の開状態を検出している間に、操作パネル１３のスタート釦によって読取指令を受け付けた場合は、光源部１１０の光量をプラテンカバー１２が閉状態で実行される通常の読取時より低く設定して、その読取指令に対応した読取を実行する。このようにすることで、厚みがあってプラテンカバー１２を閉状態にできないような原稿、例えばブック原稿を読み取る際に、ユーザが光源部１１０の発光を眩しく感じるのを防止している。
【００１７】
また、光源部１１０の光量を、プラテンカバー１２が閉状態で実行される通常の読取時より低く設定するだけでなく、更に、撮影部１１１の移動速度を通常の読取時より遅く設定してもよい。すなわち、光源部１１０の光量の低下によって撮影部１１１の時間当たりの露光量が減少するが、これを、光源部１１０の移動速度を遅く、すなわち露光時間を長くすることで補償する。このようにすれば、読み取った画像データの画質が劣化しない。
【００１８】
図３は、画像読取装置１が、操作パネル１３のスタート釦によって読取指令を受け付けた後の読取の基本手順を説明するフローチャートである。
この手順によれば、まず、プラテンカバー１２の開閉状態を判断し、プラテンカバー１２が閉状態であれば、装置制御部が、読取制御部１０４に対して通常の読取パラメータを設定する。パラメータには、光源部１１０を発光させる光量、光源部１１０を移動させるモータの回転速度等の設定が含まれている。ここで、プラテンカバーが閉状態であれば、通常読取パラメータとして、規定の光量、規定の回転速度を設定する一方、プラテンカバーが開状態であれば、低速読取パラメータとして、規定よりも低い光量、規定よりも低い回転速度を設定する（ステップ１０１、１０２、１０９）。
【００１９】
読取制御部１０４は、パラメータに従って光源部１１０を点灯させ、モータ１１２の回転を開始させる。このモータの回転によって、光源部１１０は待機位置からフラットベット１１に沿って平行移動する（ステップ１０３、１０４）。
【００２０】
そして、原稿の始端から終端まで光源部１１０を定速度で移動させながら、所定の時間間隔で撮影部１１０を作動させて、原稿を終端まで走査撮影する（ステップ１０５、１０６）。
【００２１】
原稿の終端まで撮影が完了すれば、光源部１１０を消灯させ、モータの回転を停止させる（ステップ１０７、１０８）。その後、更にモータを逆回転させて、光源部１１０を待機位置に復帰させてもよい。
【００２２】
図４は、プラテンカバー１２が閉状態での読取と閉状態での読取とを対比して説明する制御信号の２通りの波形図で、（I）、（II）は、それぞれの状態における走査撮影同期信号ＨＳＮＣと、点灯制御信号Ｖｌｅｄと、モータ制御クロックＭ−Ｃｌｋの波形を示している。
【００２３】
（I）に示しているように、プラテンカバー１２が閉状態では、走査撮影中、点灯制御信号Ｖｌｅｄをハイレベルに保って光源部１１０を連続点灯させることで規定の光量としている。また、撮影部１１１の蓄積時間を制御する撮影同期信号ＨＳＮＣの１パルスに対して、モータ制御クロックＭ−Ｃｌｋの２パルスが出力されている。
【００２４】
一方（II）に示しているように、プラテンカバー１２が開状態では、走査撮影中、点灯制御信号Ｖｌｅｄをパルスとして、光源部１１０を間欠点灯させることで、規定よりも低い光量としている。また、撮影同期信号ＨＳＮＣの１パルスに対して、モータ制御クロックＭ−Ｃｌｋの２パルスが出力される点は、上記と同様であるが、撮影同期信号ＨＳＮＣのパルス間隔を広げることで、撮影部１１１の蓄積時間を長くすると共に、同期したモータ制御クロックＭ−Ｃｌｋの周期を延ばし、モータ１１２の回転速度を規定の回転速度よりも遅くしている。
【００２５】
なお、この画像読取装置１では、光源部１１０のＬＥＤアレイを、プラテンカバー１２が閉状態では連続点灯させる一方、プラテンカバー１２が開状態では、間欠点灯させることで光量を制御している。この方法は、光源部１１０の電源として定電圧電源回路を用いる構成に適している。しかしながら、光量の制御方法はこれに限定されない。例えば、光源部１１０の電源として、照度補正用に出力電圧を可変制御できる電源回路を設けた構成では、光源部１１０の電源電圧を変えることによって光量を制御してもよい。また、光源部１１０として冷陰極管を用いる構成でも、冷陰極管を点灯させるインバータ回路の供給電圧を制御することによって光量を制御することができる。
【００２６】
また、上記実施例では、プラテンカバー１２の開閉状態を検知するプラテンカバー状態検知部１４を設けていたが、別構成として、フラットベット１１にかかる荷重を検知する荷重検知部を設け、所定値以上の荷重を検知したときには、読み取るべき原稿をブック原稿とみなし、光量を低下させるようにしてもよい。これは、ブック原稿を読み取る場合にのみプラテンカバー１２が開状態とされることを想定している。なお、荷重検知部は、プラテンガラスと、プラテンガラス支持部との間に圧電素子等を配置して構成できる。
【図面の簡単な説明】
【００２７】
【図１】本発明の実施例である画像読取装置の外観斜視図である。
【図２】本発明の実施例である画像読取装置の回路ブロック図である。
【図３】読取の基本手順を説明するフローチャートである。
【図４】（I）、（II）は、プラテンカバー１２が閉状態での読取と閉状態での読取とを対比して説明する制御信号の２通りの波形図である。
【符号の説明】
【００２８】
１      画像読取装置
１１    フラットベット
１２    プラテンカバー
１４    プラテンカバー状態検知部
１０４  読取制御部
１１０  光源部
１１１  撮影部
【図１】
2009118129.tif 000003
【図２】
2009118129.tif 000004
【図３】
2009118129.tif 000005
【図４】
2009118129.tif 000006